【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
基板の工業用印刷のためのシステムであって、前記システムは、
少なくとも１つのプリントヘッドを有するプリントヘッドデバイスアセンブリを収納するガスエンクロージャであって、前記プリントヘッドデバイスアセンブリは、運動システムに搭載されている、ガスエンクロージャと、
前記プリントヘッドデバイスアセンブリの近位に搭載され、前記プリントヘッドデバイスアセンブリに動作可能に接続されている、ローカルインク送達システムであって、前記ローカルインク送達システムは、
ローカルインク分注リザーバであって、前記ローカルインク分注リザーバは、複数のプリントヘッドへのインクの送達のために、前記複数のプリントヘッドと流動連通するように構成されている、ローカルインク分注リザーバと、
ローカルインク補充リザーバであって、前記ローカルインク補充リザーバは、前記ローカルインク分注リザーバ内で一定のレベルのインクを維持するように構成されている、ローカルインク補充リザーバと
を備える、ローカルインク送達システムと、
バルクインク送達システムであって、前記バルクインク送達システムは、前記ローカルインク補充リザーバ内で所定のレベルのインクを維持するように構成されている、バルクインク送達システムと
を備える、システム。
【請求項２】
前記バルクインク送達システムは、前記ガスエンクロージャの外部に位置している、請求項１に記載のシステム。
【請求項３】
基板を支持するための基板支持装置をさらに備え、前記運動システムは、前記基板に対する前記プリントヘッドデバイスアセンブリの精密な位置付けのために構成されている、請求項１に記載のシステム。
【請求項４】
前記基板支持装置は、約３．５世代〜約１０世代に及ぶサイズの基板を支持するように構成されている、請求項３に記載のシステム。
【請求項５】
前記基板支持装置は、約５．０世代〜約８．５世代に及ぶサイズの基板を支持するように構成されている、請求項３に記載のシステム。
【請求項６】
前記基板支持装置は、浮動式テーブルである、請求項３に記載のシステム。
【請求項７】
前記ガスエンクロージャは、ガスを含有する内部を画定する、請求項１に記載のシステム。
【請求項８】
前記ガスは、不活性ガスである、請求項７に記載のシステム。
【請求項９】
前記不活性ガスは、窒素、希ガスのうちのいずれか、およびその組み合わせから選択される、請求項８に記載のシステム。
【請求項１０】
ガス精製システムをさらに備える、請求項１に記載のシステム。
【請求項１１】
前記ガス精製システムは、反応種のそれぞれが１００ｐｐｍ未満で前記ガスを維持する、請求項１０に記載のシステム。
【請求項１２】
前記反応種は、水蒸気、酸素、およびオゾンである、請求項１１に記載のシステム。
【請求項１３】
前記システムは、ＯＬＥＤデバイス基板を印刷するために構成されている、請求項１に記載のシステム。
【請求項１４】
前記ローカルインク送達システムおよび前記バルクインク送達システム内のインクは、ＯＬＥＤスタック層を印刷するために調合されている、請求項１３に記載のシステム。
【請求項１５】
前記システムは、ＯＬＥＤデバイス用のカプセル化層を印刷するために構成されている、請求項１３に記載のシステム。
【請求項１６】
前記ローカルインク分注リザーバを前記複数のプリントヘッドに流体的に結合するプリントヘッドデバイスアセンブリ入口ラインをさらに備える、請求項１に記載のシステム。
【請求項１７】
前記ガスエンクロージャは、内部を画定し、前記システムは、前記基板を印刷するために、制御された処理環境において前記ガスエンクロージャの前記内部を維持するように構成されている、請求項１に記載のシステム。
【請求項１８】
基板の工業用印刷のためのシステムであって、前記システムは、
少なくとも１つのプリントヘッドを有するプリントヘッドデバイスアセンブリを収納するガスエンクロージャであって、前記プリントヘッドデバイスアセンブリは、運動システムに搭載されている、ガスエンクロージャと、
前記プリントヘッドデバイスアセンブリの近位に搭載され、前記プリントヘッドデバイスアセンブリに動作可能に接続されている、ローカルインク送達システムであって、前記ローカルインク送達システムは、
ローカルインク分注リザーバであって、前記ローカルインク分注リザーバは、少なくとも１つのプリントヘッドへのインクの送達のために、前記少なくとも１つのプリントヘッドと流動連通するように構成されている、ローカルインク分注リザーバと、
ローカルインク補充リザーバであって、前記ローカルインク補充リザーバは、前記ローカルインク分注リザーバ内で一定のレベルのインクを維持するように構成されている、ローカルインク補充リザーバと
を備える、ローカルインク送達システムと、
バルクインク送達システムであって、前記バルクインク送達システムは、前記ローカルインク補充リザーバ内で所定のレベルのインクを維持するように構成されている、バルクインク送達システムと、
前記ローカルインク分注リザーバの出口に流体的に結合された複数の供給マニホールド入口ラインを含む、プリントヘッドデバイスアセンブリ供給マニホールドと
を備える、システム。
【手続補正２】
【補正対象書類名】明細書
【補正対象項目名】０００７
【補正方法】変更
【補正の内容】
【０００７】
本願明細書は、例えば、以下の項目も提供する。
（項目１）
印刷システムであって、
前記印刷システムを収納するためのガスエンクロージャと、
少なくとも１つのプリントヘッドを有するプリントヘッドデバイスアセンブリであって、前記プリントヘッドデバイスアセンブリは、運動システムに搭載されている、プリントヘッドデバイスアセンブリと、
前記プリントヘッドデバイスアセンブリの近位に搭載され、前記プリントヘッドデバイスアセンブリに動作可能に接続されている、ローカルインク送達システムであって、前記ローカルインク送達システムは、
ローカルインク分注リザーバであって、前記ローカルインク分注リザーバは、少なくとも１つのプリントヘッドと流動連通するように構成されている、ローカルインク分注リザーバと、
ローカルインク補充リザーバであって、前記ローカルインク補充リザーバは、前記ローカルインク分注リザーバ内で一定のレベルのインクを維持するように構成されている、ローカルインク補充リザーバと
を備える、ローカルインク送達システムと、
バルクインク送達システムであって、前記バルクインク送達システムは、前記ローカルインク補充リザーバ内で十分なレベルのインクを維持するように構成されている、バルクインク送達システムと
を備える、印刷システム。
（項目２）
前記バルクインク送達システムは、前記ガスエンクロージャの外部に位置している、項目１に記載の印刷システム。
（項目３）
前記印刷システムはさらに、基板を支持するための基板支持装置を備え、前記運動システムは、前記基板に対する前記プリントヘッドデバイスアセンブリの精密な位置付けのために構成されている、項目１に記載の印刷システム。
（項目４）
前記基板支持装置は、約３．５世代〜約１０世代に及ぶサイズの基板を支持するように構成されている、項目３に記載の印刷システム。
（項目５）
前記基板支持装置は、約５．０世代〜約８．５世代に及ぶサイズの基板を支持するように構成されている、項目３に記載の印刷システム。
（項目６）
前記基板支持装置は、浮動式テーブルである、項目３に記載の印刷システム。
（項目７）
前記ガスエンクロージャは、ガスを含有する内部を画定する、項目１に記載の印刷システム。
（項目８）
前記ガスは、不活性ガスである、項目７に記載の印刷システム。
（項目９）
前記不活性ガスは、窒素、希ガスのうちのいずれか、およびその組み合わせから選択される、項目８に記載の印刷システム。
（項目１０）
前記印刷システムはさらに、ガス精製システムを備える、項目１に記載の印刷システム。
（項目１１）
前記ガス精製システムは、反応種のそれぞれが１００ｐｐｍ未満で前記ガスを維持する、項目１０に記載の印刷システム。
（項目１２）
前記反応種は、水蒸気、酸素、およびオゾンである、項目１１に記載の印刷システム。
（項目１３）
前記印刷システムは、ＯＬＥＤデバイス基板を印刷するために構成されている、項目１に記載の印刷システム。
（項目１４）
ＯＬＥＤデバイス基板を印刷するために使用されるインクは、ＯＬＥＤスタック層を印刷するために調合されている、項目１３に記載の印刷システム。
（項目１５）
前記印刷システムは、ＯＬＥＤデバイス用のカプセル化層を印刷するために構成されている、項目１３に記載の印刷システム。
本教示は、印刷システムがガスエンクロージャに収納されることができ、エンクロージャ内の環境が制御された印刷環境として維持されることができる、基板を印刷するための印刷システムの種々の実施形態を開示する。本教示の制御された環境は、ガスエンクロージャ内のガス環境のタイプの制御、エンクロージャ内の粒子状物質のサイズおよびレベル、エンクロージャ内の温度の制御、ならびに照明の制御を含むことができる。本教示の印刷システムの種々の実施形態は、ガスエンクロージャの外部にあり得る、バルクインク送達システムを含むことができる。本教示によるバルクインク送達システムは、ガスエンクロージャの内部にあるローカルインク送達システムにインクを供給することができる。本教示のローカルインク送達システムの種々の実施形態は、プリントヘッドデバイスアセンブリの近位にあり得、一定のレベルまでローカルインク分注リザーバにインクを供給するように構成される、ローカルインク補充リザーバを有する、２段階インク供給部を含むことができる。本教示によると、ローカルインク分注リザーバは、複数のプリントヘッドデバイスと流動連通することができる。したがって、ローカルインク分注リザーバ内で一定のレベルを維持する２段階ローカルインク送達システムは、一定の上部圧力を複数のプリントヘッドデバイスに提供することができる。